(57)【要約】一端に開口部（３２）を有する内部収納区画があり、その収納区画内にごみ袋（５０）を担持するための保持手段（３０）を有するカートリッジ（２０）を含み、棒（１２）の上面（１６）が接近可能である開位置と、前記棒（１２）が収納区画内に収容される閉位置との間で可動である棒（１２）が存在し、そのため、開位置にある棒（１２）の上面（１６）に置かれることによって生理用ナプキン（１７）が廃棄される場合、ごみ袋（５０）が続いて収納区画内への縦方向の伸長動作で開き、棒（１２）が閉位置へ動く際に、保持手段（３０）が生理用ナプキン（１７）をごみ袋（５０）内へ捕捉する、生理用ナプキン処理組立品。
2006518318.tif 000002
【特許請求の範囲】
【請求項１】
生理用ナプキン処理組立品であって、一端に開口部を有する内部収納区画があり、その収納区画内にごみ袋を担持するための保持手段を有するカートリッジ；棒の上面が接近可能である開位置と、前記棒が収納区画内に収容される閉位置との間で可動である棒；を含み、そのため、開位置にある棒の上面に置かれることによって生理用ナプキンが廃棄される場合、ごみ袋が続いて収納区画内への縦方向の伸長動作で開き、棒が閉位置へ動く際に、保持手段が生理用ナプキンをごみ袋内へ捕捉する： ことを含む前記組立品。
【請求項２】
カートリッジが棒へ取り外し可能に取り付けられている、請求項１の生理用ナプキン処理組立品。
【請求項３】
棒が固定位置にある、請求項２の生理用ナプキン処理組立品。
【請求項４】
棒が手洗いまたは公衆トイレ設備の床に固定されている、請求項３の生理用ナプキン処理組立品。
【請求項５】
カートリッジの外面周囲に取り付け可能であるスライド可能なスリーブをさらに含み、スリーブおよびカートリッジは、スリーブおよびカートリッジにそれぞれ一体形成された固定噛み合わせ手段を備えている、前記請求項のうちいずれかの生理用ナプキン処理組立品。
【請求項６】
スリーブが上側内周囲に巡らされるフランジを含む、請求項５の生理用ナプキン処理組立品。
【請求項７】
フランジが、カートリッジから突き出ている外側へ伸びる爪を受けるよう適合された、フランジ長に沿った仕切り溝を含み、スリーブと相対的なカートリッジの回転は、爪を溝と連携させ、および垂直に加えられる動きによって爪は溝を通過することができ、および、さらなる回転によって、カートリッジへのスリーブの取り外し可能な固定のための、フランジの段部に接することによって特徴づけられる、請求項６の生理用ナプキン処理組立品。
【請求項８】
スリーブがスリーブの基部周囲の内側枠を含む、請求項７の生理用ナプキン処理組立品。
【請求項９】
枠がカートリッジの上縁との突き合わせはめ込みを収容する、請求項８の生理用ナプキン処理組立品。
【請求項１０】
スリーブが、スリーブの基部から側方へ広がるスカートを含む、請求項９の生理用ナプキン処理組立品。
【請求項１１】
縁が、スカートからのスリーブの方向と実質的に平行な方向へ、縦方向に伸び、そのため棒が開位置にある場合、縁の内側パネルが、棒上の生理用ナプキンの位置合わせのために棒の上蓋と共に、接近可能な封じ込め空間を提供する、請求項１０の生理用ナプキン処理組立品。
【請求項１２】
カートリッジが収納区画内への開口部の反対側の端にあるハンドルを含み、カートリッジに関して棒の開位置および閉位置を提供するために、カートリッジが便利に棒からスライド可能に取り外せるように、ハンドルを利用者が握ることができる、前記請求項のうちいずれかの生理用ナプキン処理組立品。
【請求項１３】
ハンドルがカートリッジと一体である、請求項１２の生理用ナプキン処理組立品。
【請求項１４】
保持手段が、カートリッジの内壁の両側から伸びる２つの別々のパネルを含む、前記請求項のうちいずれかの生理用ナプキン処理組立品。
【請求項１５】
パネルが複数の弾力性の帯によって支持される、請求項１４の生理用ナプキン処理組立品。
【請求項１６】
複数の弾力性の帯が、各パネルを内側へ傾斜した方向へ維持し、そのため、カートリッジの開口端へ棒が挿入される際、各パネルの前端が他方から分離可能であり、よって棒が開位置にある間、２つのパネルは尖頭形の座部配置にある、請求項１５の生理用ナプキン処理組立品。
【請求項１７】
生理用ナプキン処理組立品がさらに、カートリッジおよび棒とは別個に形成される外側ケーシングを含む、前記請求項のうちいずれかの生理用ナプキン処理組立品。
【請求項１８】
ケーシングが実質的に円筒形であり、およびカートリッジへ取り付けた際にスリーブと概ね同一の外形寸法である、請求項１７の生理用ナプキン処理組立品。
【請求項１９】
ケーシングが床に固定され、およびケーシングの裏面の上側周縁を完全に囲む段部を含み、その段部はスリーブの基部周囲に伸びる側方に広がるスカートに隣接するように十分な幅である、請求項１８の生理用ナプキン処理組立品。
【請求項２０】
対応する縦方向に整列した透明なスリットがケーシング、スリーブおよびカートリッジそれぞれの長さに沿って位置する、請求項１７から１９のいずれかの生理用ナプキン処理組立品。
【請求項２１】
カートリッジがスリーブにスライド可能に取り付けることができ、スリーブはカートリッジと同等の寸法のスリーブで、スリーブの器内壁がカートリッジの外表面を包み込むように適用され、そのため包み込まれたカートリッジはスリーブの器内壁とカートリッジの外表面との間の空隙を含む、請求項２０の生理用ナプキン処理組立品。
【請求項２２】
空隙６４が、ごみ袋が空隙を下に、およびその後に次いで棒が閉位置へ押し込まれる際に上にカートリッジの内部収納区画へ、自由に移動可能となる一般的寸法のものである、請求項２１の生理用ナプキン処理組立品。
【発明の詳細な説明】
【技術分野】
【０００１】
本発明は生理用ナプキンなどの衛生的処理のための処理組立品に関する。
【背景技術】
【０００２】
トイレの利用者が、生理用ナプキンを処分する必要があるがしかしそうするための適切な手段が無い状態に置かれる際に、問題がしばしば発生する。その種の品物は下水管を詰まらせがちであるため、ナプキンをトイレに流すことは不可能である。
【０００３】
配管詰まりを回避するために、ある場合には、生理用ナプキンは、大部分の手洗いおよび公衆トイレ設備に通常見られる、標準的な屑入れに廃棄される。にもかかわらず、生理用ナプキンは一旦汚れれば感染および疾患の機嫌となる可能性を有するため、生理用ナプキンの屑入れへの廃棄は、悪臭および公衆衛生の問題を含むそれ自体の問題を提起する。
【０００４】
さらに、生理用ナプキンの屑入れへの廃棄は、特に屑入れが蓋無しの型である場合には、手洗いの次の利用者にとって見苦しくおよびおそらく当惑させる状況を生じる。
【０００５】
以前には、上記で考察したこれらの問題に対処するために、標準的な屑入れとは別個に、特別の保管容器が手洗い内に設置された。
【０００６】
これらの特別に準備された容器は、相対的に長い四角形であることによって特徴づけられる。その容器は通常床置き型であり、および、生理用ナプキンを容器内に廃棄するために蓋を上げて開ける跳ね上げ式の蓋を有する。
【０００７】
そのような容器はしかし、生理用ナプキンの廃棄のための安全なまたは管理された環境を提供しない。生理用ナプキンの廃棄が一旦行われれば、容器の蓋は容易に開状態のままとなる。
【０００８】
さらに、そのような容器は、適当な量のナプキンを収容できるように、相対的に大きな寸法である。このかさばる大きさは手洗い内の空間を一杯にしてしまいがちである。
【０００９】
容器内で生理用品を圧縮する努力はなされていないため、これらの種類の容器はそのような寸法である必要がある。生理用ナプキンは圧縮されていないため、容器内に過剰な容量のごみが存在する傾向がある。
【００１０】
これらの容器についてのさらに別の問題は、生理用ナプキンを入れるごみ袋を、容器内で正しく合わせることを要することである。
【００１１】
容器内でのこのごみ袋の内張は、使用者にある程度の技術を必要とする可能性があり、および、ごみ袋を被せる人を容器内に見られる悪臭または細菌に少なくとも曝露させる可能性がある。
【００１２】
したがって、上記で考察した問題を回避する生理用品処理組立品の必要性は本分野内に未だ存在する。
【００１３】
ゆえに、本発明の目的は、生理用品処理組立品の上記で考察した短所の一部を克服するかまたは少なくとも相当に改善するか、または少なくとも、入手可能な既存の廃棄方法の有用な代替物である生理用品処理組立品を一般へ提供することである。
【発明の開示】
【発明が解決しようとする課題】
【００１４】
したがって、生理用ナプキン処理組立品が提供され、前記組立品は：一端に開口部を有する内部収納区画があり、その収納区画内にごみ袋を担持するための保持手段を有するカートリッジ；棒の上面が接近可能である開位置と、前記棒が収納区画内に収容される閉位置との間で可動である棒；を含み、そのため、開位置にある棒の上面に置かれることによって生理用ナプキンが廃棄される場合、ごみ袋が続いて収納区画内への縦方向の伸長動作で開き、棒が閉位置へ動く際に、保持手段が生理用ナプキンをごみ袋内へ捕捉する。
【００１５】
そのような設定の長所は、ナプキンがカートリッジ内のごみ袋へ取り込まれるため、ナプキンをトイレに流したりまたは屑入れへ廃棄したりする必要が回避され、生理用ナプキンが手洗い内で曝露されなくなることである。
【００１６】
好ましくはカートリッジは取り外し可能に棒へ取り付けられ、および棒は固定位置にある。好ましくは棒は手洗いまたは公衆トイレ設備の床に固定される。
【００１７】
床に固定された棒を有する生理用ナプキン処理組立品のそのような設定の長所は、組立品の利用者が、カートリッジを棒から離すだけで、生理用ナプキンを次いで入れることができる開位置にすることができる点である。棒を所定の位置に固定する必要は無い。
【００１８】
好ましくは、本生理用ナプキン処理組立品はさらに、カートリッジの外面周囲に取り付けられたスライド可能なスリーブを含み、スリーブおよびカートリッジは、スリーブおよびカートリッジにそれぞれ一体形成された固定手段を備えている。
【００１９】
好ましくは該スリーブは上側内周囲に巡らされるフランジを含む。
【００２０】
該フランジは、カートリッジから突き出ている外側へ伸びる爪を受けるよう適合された、フランジ長に沿った仕切り溝を含む。スリーブと相対的なカートリッジの回転は、爪を溝と連携させ、および垂直に加えられる動きによって爪は溝を通過することができ、および、さらなる回転によって、カートリッジへのスリーブの取り外し可能な固定のための、フランジの段部に接する。
【００２１】
好ましくは、スリーブはスリーブの基部周囲に内側枠を含む。その枠はカートリッジの上縁との突き合わせはめ込みを収容する。
【００２２】
カートリッジへ取り付け可能なスリーブを含むそのような設定の長所は、カートリッジの収納区画に入れられていない、ごみ袋の広げられた部分が、露出されたままでなくなる点である。このことが、生理用ナプキン処理組立品が使用中である時に、不注意によりごみ袋に触れることを回避する。
【００２３】
好ましくはスリーブは、スリーブの基部から側方へ広がるスカートを含む。好ましくは縁が、スカートからのスリーブの方向と実質的に平行な方向へ、縦方向に伸び、そのため棒が開位置にある場合、縁の内側パネルが、棒上の生理用ナプキンの位置合わせのために棒の上蓋と共に、接近可能な封じ込め空間を提供する。
【００２４】
そのような設定の長所は、それが棒上の生理用ナプキンの比較的に単純な位置合わせを可能にする点である。別の長所は、生理用ナプキンが棒の上蓋から落ちるのを縁が防ぐ点である。縁の内側パネルは、生理用ナプキンが置かれる領域の周囲の障壁の機能を果たす。
【００２５】
好ましくはカートリッジは、収納区画内への開口部の反対側の端にあるハンドルを含む。カートリッジに関して棒の開位置および閉位置を提供するために、カートリッジが便利に棒からスライド可能に取り外せるように、ハンドルを利用者が握ることができる。
【００２６】
好ましくはハンドルはカートリッジと一体である。
【００２７】
好ましくは保持手段は、カートリッジの内壁の両側から伸びる２つの別々のパネルを含む。好ましくはそのパネルは複数の弾力性の帯によって支持される。
【００２８】
好ましくは、これらの複数の弾力性の帯は、各パネルを内側へ傾斜した方向へ維持し、そのため、カートリッジの開口端へ棒が挿入される際、各パネルの前端は他方から分離可能である。棒が開位置にある間、２つのパネルは尖頭形の座部配置にある。
【００２９】
そのような設定の長所は、保持手段がカートリッジ内への棒の妨害されない動きを可能にする点であるが、しかし棒が開位置にある場合、２つのパネルは、尖頭形の座部配置になくても密閉機構を提供し、ごみ袋内の捕捉された生理用ナプキンが、収納区画から手洗い内へ放出されるのを防ぐ。
【００３０】
好ましくは本生理用ナプキン処理組立品はさらに、カートリッジおよび棒とは別個に形成される外側ケーシングを含む。
【００３１】
好ましくはそのケーシングは実質的に円筒形であり、およびカートリッジへ取り付けた際にスリーブと概ね同一の外形寸法である。
【００３２】
好ましくは、そのケーシングは床に固定され、およびケーシングの裏面の上側周縁を完全に囲む段部を含む。その段部は、スリーブの基部周囲に伸びる側方に広がるスカートに隣接するように十分な幅である。
【００３３】
そのような設定の長所は、カートリッジが棒から抜き取られる際、棒と相対的なカートリッジの動きが制限される点である。ケーシングの裏面の段部はスリーブのスカートに隣接し、それ以上の動きを防ぐ。このことが、棒に関して不注意によるカートリッジの分離を回避する。
【００３４】
そのケーシングのさらに別の長所は、１つの組立品にすべての構成部品をコンパクトにおよび整然と収納することによって、ケーシングが組立品の全体的にすっきりした外観を提供することである。
【００３５】
そのケーシングのさらに別の長所は、カートリッジが棒から抜き取られる際、ケーシングの段部とスリーブのスカートとの隣接が、使用者が棒上に生理用ナプキンを置くために必要な場所の、便利なおよび自動的に定めることができる開きを可能にする点である。
【００３６】
好ましくは、本生理用ナプキン処理組立品は、ケーシング、スリーブおよびカートリッジの長さに沿って伸びる、対応する透明なスリットを含む。
【００３７】
そのような設定の長所は、カートリッジに生理用ナプキンが入る際、スリーブおよびカートリッジがケーシングと相対的に、より高い垂直位置に留まる点である。
【００３８】
本発明の実施形態が、ここで明細書の下記の節で詳細に説明され、および添付の図面中で言及される。図面および説明はしかし、本発明を実施する方法の単なる一例であり、そのため、詳細な説明に示される具体的な形式および設定は、本発明を限定しないと理解される。
【発明を実施するための最良の形態】
【００３９】
図面を詳細に参照すると、生理用ナプキン処理組立品１０は実質的に円筒形の胴部１４を有する細長い棒１２を含む。
【００４０】
円筒形の胴部１４は、胴部１４と一体成型された上蓋１６によって一端が閉じられる。上蓋１６は、標準的な生理用ナプキン１７をその上に置くために必要な表面積よりもわずかに大きい一般的寸法の、水平面形を有する。
【００４１】
しかし、上蓋１６の寸法は、処理組立品および処理されるべき生理用品の用途に相対的となることが当業者に理解される。
【００４２】
棒１２は、棒１２の基部で側方へ広がる縁１８を含む。縁１８に沿った一連の孔２１は、棒１２が定位置に取り付けられることを可能にする。
【００４３】
図１３に示す通り好ましい一実施形態で説明される棒１２は、組立品１０の利用者の足からのケーシング８８へ加えられる圧力によって、トイレまたはバスルームの床 （記載せず） 上に位置する。
【００４４】
代替的に、図１２に具体的に示される別の一実施形態では、縁１８は孔が無く、および、実質的に手洗いの床上の所定の場所に棒が位置するように、意図的に重くされている。重量化された縁１８は、組立品を使用する際に棒が動かないように適当な位置を提供し、しかしまた後で組立品を別の手洗いへ設置し直すべき場合に組立品の持ち運びを有利に可能にする。
【００４５】
内壁２４を有する実質的に円筒形の胴部２２を持つカートリッジ２０が、空洞の収納区画２６を定義する。
【００４６】
カートリッジ２０は、カートリッジ２０の一端に開口部２８を有する。ハンドル３３が、カートリッジ２０の他方の端に位置する。生理用ナプキン処理組立品の利用者は、カートリッジ２０を棒１２に関して移動するために、ハンドル３３を掴む。カートリッジ２０の内周壁２４は、棒に摩擦無く取り巻いてスライド可能に受けられるような一般的寸法である。
【００４７】
カートリッジ２０の開口部２８は保持手段を含む。
【００４８】
保持手段はカートリッジの内壁２４の両側に一連のノッチ３０を有する。ノッチ３０は、連続的な隣接する各ノッチ３０が、（図８に破線で示すように）線ＡＢに沿って進む際に、カートリッジ２０の基部の端３２からより高い垂直距離に位置するように、連続して配置されている。中間点２５では、連続的な隣接するノッチ３０は、カートリッジ２０の端３２により近い垂直距離にある。
【００４９】
図８に示す通り、ノッチ３０はカートリッジ２０の端３２に関して三角形のパターンを成す。内壁２４の両側それぞれの上の、ノッチ３０によって形成される三角形のパターンの頂点２７は、他の２つの角２９、３１それぞれよりも、カートリッジ２０の端３２により遠い垂直距離にある。
【００５０】
個々のノッチ３０は、内壁２４の反対側に、対応するノッチ３０を有する。対応するノッチ３０の対は、弾力性の帯３６を留める。帯３６は骨組みの三角柱構造３８を形成する。パネル４４、４６が、三角柱３８の各側４０、４２のそれぞれに沿って中途で支持され、捕捉位置にある場合は尖頭形の座部４８を形成する。
【００５１】
前記で説明した保持手段は、ごみ袋５０が収納区画２６に支持されるのを可能にする。該保持手段はまた、収納区画２６内の閉位置へ入る場合にカートリッジ２０がスライド可能に棒１２を受け入れる際、生理用品１７が内部収納区画２６へごみ袋５０へ取り込まれるのが妨げられない密閉手段を提供する。
【００５２】
カートリッジ２０および収納区画２６の寸法は、棒１２が閉位置にある場合、生理用ナプキン１７が強制的に大きさが圧縮され、環境に戻され処分されるべき全体のごみの減量を提供するようなものである。
【００５３】
三角柱配置の帯３６の順向バイアス掛けによる尖頭形の座部４８のパネル４４、４６は、開口部２８を通って収納区画２６への通過を可能にする。各パネル４４、４６のそれぞれの上端５２、５４が尖頭形の座部４８配置に倒れて戻るため、収納部分２４からのごみ袋５０の内容物の逆方向通過は不可能である。
【００５４】
パネル４４、４６の、尖頭形の座部４８配置への復帰は、帯３６それぞれをカートリッジ２０の内壁２４の両側上の対応するノッチに留めるノッチ３０に関して力のかからない位置へ戻す、帯３６の付勢力によって引き起こされる。
【００５５】
カートリッジ２０はスリーブ５８中にスライド可能に取り付けることができる。スリーブ５８の器内壁６０がカートリッジ２０の外表面６２を包み込むように、スリーブ５８はカートリッジ２０と同等の寸法である。包み込まれたカートリッジ２０は、スリーブ５８の器内壁６０とカートリッジ２０の外表面６２との間の空隙６４を含む。
【００５６】
空隙６４は、ごみ袋５０が、空隙６４を下に、およびその後に次いで棒１２が閉位置へ押し込まれる際に、上にカートリッジ２０の内部収納区画２６へ、自由に移動可能となる一般的寸法のものである。
【００５７】
空隙６４は、ごみ袋５０の移動および展開を、ごみ袋５０が損傷する原因となる実質的な妨げ無しに可能にする。
【００５８】
スリーブ５８の基部で、スリーブ５８がカートリッジ２０に固定される際にカートリッジ２０の上周縁６８との突き合わせはめ込みを収容する、枠６６が器内壁６０の周辺に横方向へ伸びる。
【００５９】
フランジ７０はスリーブ５８の上側内周囲に巡らされる。フランジ７０は、フランジ７０の長さに沿った仕切り溝７２を含む。カートリッジ２０は、カートリッジの外表面２２から外側へ伸びる、突出する爪７３を有する。
【００６０】
図９ａおよび９ｂに見られるように、カートリッジ２０はカートリッジ２０から伸びる爪７３が仕切り溝７２と合わさるように回転される。爪７３は溝の中へ動かされ、およびその後のさらなる回転によってフランジ７０の段部７８と隣接する。
【００６１】
スリーブ５８は次いで、スリーブ５８の上側内周囲に巡らされるフランジ７０の段部７８との爪７３の隣接によってカートリッジ２０へ固定され、一方、スリーブ５８の反対側の端では、枠６６がカートリッジ２０の上端６８と隣接した噛み合わせとなり、それによってスリーブ５８およびカートリッジ２０を互いに関して取り外し可能に固定する。
【００６２】
スリーブ５８は、スリーブの基部７９から側方へ広がるスカート７７を含む。縁８１がスカート７７から縦方向に伸びる。縁８１は、棒１２上の生理用ナプキン１７の位置合わせのための棒１２の上蓋１６と共に、接近可能な封じ込め空間８３を提供する内側パネル８２を有する。
【００６３】
外側ケーシング８８は、カートリッジ２０および棒１２とは別々に形成される。
【００６４】
ケーシング８８は実質的に円筒形であり、およびカートリッジ２０へ取り付けた際にスリーブ５８と概ね同一の外形寸法である。ケーシング８８は床に固定され、およびケーシング８８の裏面９４の上側周縁９２を完全に囲む段部９０を含む。段部９０は、スリーブ５８の基部７９周囲に伸びる側方に広がるスカート７７に隣接するように十分な幅である。
【００６５】
図１０ａおよび１０ｂを参照すると、ごみ袋５０は、爪７３が仕切り溝７２を通過可能になるように、カートリッジ２０を通してスリーブ５８を外すことによって、カートリッジ２０へ挿入される。ごみ袋５０はカートリッジ２０の開口端２８に設置され、および次いでカートリッジ２０に関するスリーブ５８の再固定によって、空隙６４が生じる。空隙６４はごみ袋５０の側面９２、９４を収容する。カートリッジ２０が次いで棒１２の上に挿入され、および棒１２を収納区画２６内へ押し上げる力がごみ袋５０を縦方向の伸長動作で展開する。
【００６６】
ごみ袋５０は、棒１２の上に挿入される一方で、裏表が返される。棒１２上への挿入中に一旦裏表が返されたごみ袋５０の側面９２、９４は、続いてカートリッジ２０内のごみ袋５０の内表面となる。
【００６７】
図１１ａ、１１ｂおよび１１ｃを参照すると、生理用ナプキンは、ハンドル２８を掴むことを通じて、利用者によって処理される。カートリッジ２０は次いで棒１２の固定された縁１８からスライド可能に持ち上げて取り外される。
【００６８】
棒１２に関するカートリッジ２０のスライド取り外しは、スリーブ５８の側方へ広がるスカート７７を伴うケーシング８８の段部９０の隣接によって中断される。
【００６９】
段部９０およびスカート７７は隣接して噛み合わせとなっているため、縁８１の内側パネル８２によって定義される接近可能な空間８３は、そこに置かれるべき生理用ナプキン１７について接近可能である。
【００７０】
生理用ナプキン１７が棒１２の上蓋１６上に置かれる際、カートリッジ２０を次いで棒１２上にスライド可能に戻すことができる。
【００７１】
上蓋１６上に生理用ナプキン１７が置かれた棒１２が、パネル４４、４６を押し広げ、および収納区画２６内に位置するごみ袋５０内へ進入する。
【００７２】
パネル４４、４６は棒１２によって強制的に開状態に保たれる。棒１２の円筒形の胴部１４上のパネル４４、４６の付勢力は、ごみ袋５０の内容物を密閉に保つ。
【００７３】
別の生理用品を処分する際は、上記の過程が繰り返される。
【００７４】
しかし、段部９０とスカート７７の間の隣接噛み合わせ中に、接近可能空間８３を、別の生理用ナプキンを処理するために曝露する場合は、棒１２はごみ袋５０の密閉に関与しなくなっているが、パネル４４、４６は帯３６の付勢力によってなお尖頭形の座部４８の配置に戻る。
【００７５】
尖頭形の座部４８はごみ袋５０の内容物のカートリッジ２０からの逆流を妨げる一方、その後の生理用ナプキンは組立品１０内で処分されている。
【００７６】
図１３ａおよび１３ｂを参照すると、棒１２およびケーシング８８は、組立品１０の利用者の足から加えられる圧力によって、トイレまたはバスルームの床 （記載せず） 上に固定される。
【００７７】
多数の変化および／または改変を、これらの特定の実施形態で示された通りの本発明へ、上述の本発明の範囲を離れることなく加えることができることが当業者に理解される。
【００７８】
したがって、本実施形態はすべての観点において一例と考えられるがしかし制限的でないと考えられる。特に、ケーシング、カートリッジおよび棒のそれぞれについて、さまざまな形状を利用可能であることを理解しうる。本組立品は、たとえば、構成が実質的に４面体であっても同様に有効である。また、保持手段はごみ袋で占められる収納区画への妨げられない送り込みを提供する一方、同時に、処理された生理用品の外への逆流を防ぐ点に注意することが重要である。保持手段は好ましい実施形態では帯尖頭形の座部を支持する帯に付勢力を与えることによって提供される。
【００７９】
好ましい実施形態は特定の一設定を説明するが、他の付勢手段もまた同等に適切でありうる点が理解される。そのような他の同等の設定を含めることがこの説明の意図である。
【図面の簡単な説明】
【００８０】
【図１】図１は、本発明の好ましい一実施形態のための生理用ナプキン処理組立品の透視図であり、組立品は閉位置にある。
【図２】図２は図１の分解組立図である。
【図３】図３は、カートリッジに挿入された棒を示す、図１の部分図である。
【図４】図４は、カートリッジに関して開位置の棒を示す、図３の一部の分解組立図である。
【図５】図５は、棒が閉位置にある場合の、ケーシング、カートリッジおよび棒の間の空間的関係を示す、図１の断面図である。
【図６】図６は、棒が開位置にある場合の、生理用ナプキンを置くために接近可能な部分の図である。
【図７】図７は、カートリッジ内の保持手段の透視図である。
【図８】図８は、図７の保持手段の断面図である。
【図９】図９ａおよび９ｂは、スリーブに固定されているカートリッジの、部品を取り外した透視図である。
【図１０】図１０ａおよび１０ｂは、ごみ袋の生理用ナプキン処理組立品内への設置の透視図である。
【図１１ａ】図１１ａは、使用時の生理用ナプキン処理組立品の透視図である。
【図１１ｂ】図１１ｂは、使用時の生理用ナプキン処理組立品の透視図である。
【図１１ｃ】図１１ｃは、使用時の生理用ナプキン処理組立品の透視図である。
【図１２】図１２は、重り付きの棚部によって棒が床に固定されている、本発明の別の一実施形態である。
【図１３ａ】図１３ａは、利用者の足が組立品の床への固定を提供する、本発明の別の一実施形態の例である。
【図１３ｂ】図１３ｂは、利用者の足が組立品の床への固定を提供する、本発明の別の一実施形態の例である。
【図１】
2006518318.tif 000003
【図２】
2006518318.tif 000004
【図３】
2006518318.tif 000005
【図４】
2006518318.tif 000006
【図５】
2006518318.tif 000007
【図６】
2006518318.tif 000008
【図７】
2006518318.tif 000009
【図８】
2006518318.tif 000010
【図９】
2006518318.tif 000011
【図１０】
2006518318.tif 000012
【図１１ａ】
2006518318.tif 000013
【図１１ｂ】
2006518318.tif 000014
【図１１ｃ】
2006518318.tif 000015
【図１２】
2006518318.tif 000016
【図１３ａ】
2006518318.tif 000017
【図１３ｂ】
2006518318.tif 000018
【国際調査報告】
2006518318.tif 000019
2006518318.tif 000020